【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
情報通信手段を介する複数の情報取り扱い装置間における情報伝送方法であって、
情報伝送のそれぞれは、対話セット中の１つまたは複数の対話からなり、
前記対話セット中に含まれる対話は、前記情報取り扱い装置のいずれかにおいて実行される情報の処理機能に依存しない情報伝送方法。
【請求項２】
前記情報伝送のそれぞれは第１デバイスと１以上の第２デバイス間の界面の共有に関するものであり、前記界面は前記第１デバイスの内的状態を示すものである請求項１記載の情報伝送方法。
【請求項３】
前記界面のそれぞれはデータおよび第１デバイスによって提供され得るデータのフォーマット・セットを含んでいる請求項２記載の情報伝送方法。
【請求項４】
前記界面のそれぞれは、対話セット中のどの対話に第１デバイスが応答に適応するかを示すプロパティ・セットを含む請求項２または請求項３のいずれかに記載の情報伝送方法。
【請求項５】
前記対話セットは、第１デバイスの界面であって、１以上の第２デバイスが持たない界面の共有に関する対話を含む請求項２乃至４のいずれかに記載の情報伝送方法。
【請求項６】
デバイスのすべてはルート界面を含み、上述の１以上の第２デバイスのルート界面は、第１デバイスによってシェアされた界面の受領に常に適用可能な構成である請求項５記載の情報伝送方法。
【請求項７】
前記対話セットは第1デバイスの界面と１つまたは複数の第２デバイスの対応界面間の内容転送に関する対話を含む請求項２乃至６のいずれかに記載の情報伝送方法。
【請求項８】
前記対話セットは第１デバイスの界面に対応する１以上の第２デバイスの界面の消去あるいは変更に関する対話を含む請求項２乃至７のいずれかに記載の情報伝送方法。
【請求項９】
前記界面のそれぞれは、界面の機能を示すクラスを含んでいる請求項２記載の情報伝送方法。
【請求項１０】
デバイスによってサポートされる界面の各クラスにおいて、該デバイスはデフォルト界面の提供が可能である請求項９記載の情報伝送方法。
【請求項１１】
前記対話セットは、デバイスのサブセットにのみ適用可能な新規な界面の機能に関する新規な界面クラスの生成をサポートする請求項９記載の情報伝送方法。
【請求項１２】
前記対話セットは第２デバイスによる第１デバイスからの界面の要求を含む請求項２記載の情報伝送方法。
【請求項１３】
前記対話セットは第２デバイスによる第１デバイスからの界面の記述の要求を含み、該界面の記述は界面に関連するデータ提供のための選択階層を含む請求項２乃至１２のいずれかに記載の情報伝送方法。
【請求項１４】
前記対話セットは界面の記述の要求に対する応答を含み、該応答は選択階層からの追加的選択を含んでいる請求項１３記載の情報伝送方法。
【請求項１５】
対話セットは界面に関連するデータ提供の要求を含む請求項２または請求項１２乃至１４のいずれかに記載の情報伝送方法。
【請求項１６】
前記対話セットは界面に関連するデータの提供の要求に対する応答を含む請求項１５記載の情報伝送方法。
【請求項１７】
対話セットは界面変更を要求するメッセージを含む請求項２または請求項１２乃至１６のいずれかに記載の情報伝送方法。
【請求項１８】
界面変更要求メッセージは界面の変更の実行または拒否に使用可能である請求項１７記載の情報伝送方法。
【請求項１９】
受信デバイスによって理解されない対話セット中のすべてのメッセージは拒否される請求項２記載の情報伝送方法。
【請求項２０】
デバイスのそれぞれは固有界面を有し、固有界面はそのデバイスに関する情報を含み、デバイス間での情報交換セッションが確立したときにこの界面を他のデバイスと交換する手段を持つ請求項２乃至１９のいずれかに記載の情報伝送方法。
【請求項２１】
特定のデバイスは他のデバイスの識別界面からの情報を記憶するために用いるディレクトリ手段を有する請求項２０記載の情報伝送方法。
【請求項２２】
デバイス機能に従って情報処理可能なジョブ受領デバイスはジョブ送信デバイスからの処理情報を受領するジョブ受領界面を有する請求項２乃至２１のいずれかに記載の情報伝送方法。
【請求項２３】
前記ジョブ受領デバイスによる情報処理は、
ジョブ受領デバイスのジョブ受領界面をジョブ送信デバイスと共有することと、
ジョブ送信デバイスのジョブ情報を含む第１界面をジョブ受領デバイスと共有することと、
ジョブ情報を含む１以上の界面、ジョブ情報を含む１以上の界面に関連する選択階層、ジョブ情報を含むデータの界面に関するデータ規則の選択階層、およびジョブ情報を含むデータについてのジョブ受領デバイスによる要求およびジョブ送信デバイスからの供給することと、
ジョブ受領デバイスによってジョブ情報の処理することと、
を含む請求項２２記載の情報伝送方法。
【請求項２４】
ジョブ受領界面を共有することの後、およびジョブ情報を含む第１界面を共有することの前に、ジョブ受領デバイスによるジョブ送信デバイスからのジョブ情報を含む界面を要求することを更に含む請求項２３記載の情報伝送方法。
【請求項２５】
デバイス機能に従って情報処理を実行するジョブ受領デバイスはステータス指示界面を有し、ジョブ受領デバイスはこのステータス指示界面を、ジョブ受領デバイスに対してジョブを送信する他のデバイスとシェアすることが可能である請求項２乃至２４のいずれかに記載の情報伝送方法。
【請求項２６】
情報処理デバイス間の通信プロトコルであって、
前記通信プロトコルは、対話セットからの対話を含み、対話セット中に含まれるすべての対話は、情報処理装置のいずれかにおいて実行される情報の処理機能に依存しない通信プロトコル。
【請求項２７】
前記対話のそれぞれは第1デバイスと１または複数の第２デバイス間の界面の共有に関するものであり、界面は第１デバイスの内的状態を示す請求項２６記載の通信プロトコル。
【請求項２８】
前記界面のそれぞれはデータおよび第１デバイスによって提供され得るデータのフォーマット・セットを含んでいる請求項２７に記載の通信プロトコル。
【請求項２９】
前記界面のぞれぞれは、対話セット中のどの対話に第1デバイスが応答に適応するかを示すプロパティ・セットを含む請求項２７または請求項２８のいずれかに記載の通信プロトコル。
【請求項３０】
前記対話セットは、第１デバイスの界面であって、１以上の第２デバイスが持たない界面の共有に関する対話を含む請求項２７乃至２９のいずれかに記載の通信プロトコル。
【請求項３１】
前記対話セットは第１デバイスの界面と１以上の第２デバイスの対応界面間の内容転送に関する対話を含む請求項２７乃至３０のいずれかに記載の通信プロトコル。
【請求項３２】
前記対話セットは第１デバイスの界面に対応する１以上の第２デバイスの界面の消去あるいは変更に関する対話を含む請求項２７乃至３１のいずれかに記載の通信プロトコル。
【請求項３３】
前記対話セットは第２デバイスによる第１デバイスからの界面要求を含む請求項２７記載の通信プロトコル。
【請求項３４】
前記対話セットは第２デバイスによる第１デバイスからの界面の記述の要求を含み、該界面の記述は界面に関連するデータ要求に関するの選択階層を含む請求項２７乃至３３のいずれかに記載の通信プロトコル。
【請求項３５】
前記対話セットは界面の記述の要求に対する応答を含み、該応答は選択階層からのさらなる追加的選択を含んでいる請求項３４に記載の通信プロトコル。
【請求項３６】
前記対話セットは界面に関連するデータの提供の要求を含む請求項２７または請求項３３乃至３５のいずれかに記載の通信プロトコル。
【請求項３７】
前記対話セットは界面に関連するデータの要求に対する応答を含む請求項３６記載の通信プロトコル。
【請求項３８】
対話セットは界面の変更を要求するメッセージを含む請求項２７または請求項３３乃至３７のいずれかに記載の通信プロトコル。
【請求項３９】
前記界面の変更を要求するメッセージは界面の変更の実行または拒否に使用可能である請求項３８記載の通信プロトコル。
【請求項４０】
受信デバイスによって理解されない対話セット中のすべてのメッセージは拒否される請求項２７記載の通信プロトコル。
【請求項４１】
デバイス機能に従って、情報処理可能なジョブ受領デバイスはジョブ送信デバイスからの処理情報を受領するジョブ受領界面を有する請求項２７乃至４０のいずれかに記載の通信プロトコル。
【請求項４２】
前記ジョブ受領デバイスによる情報処理は、
ジョブ受領デバイスのジョブ受領界面をジョブ送信デバイスとシェアすることと、
ジョブ送信デバイスのジョブ情報を含む第１界面をジョブ受領デバイスとシェアすることと、
ジョブ情報を含む１以上の界面、ジョブ情報を含む１以上の界面に関連する選択階層、ジョブ情報を含むデータの界面に関するデータ規則の選択階層、およびジョブ情報を含むデータについてのジョブ受領デバイスによる要求およびジョブ送信デバイスからの供給することと、
ジョブ受領デバイスによってジョブ情報を処理することと、
を含む請求項４１記載の通信プロトコル
【請求項４３】
ジョブ受領界面を共有することの後、およびジョブ情報を含む第１界面を共有することの前に、ジョブ受領デバイスによるジョブ送信デバイスからのジョブ情報を含む界面を要求することを更に含む請求項４２記載の通信プロトコル。
【請求項４４】
デバイス機能に従って情報処理を実行するジョブ受領デバイスはステータス指示界面を有し、ジョブ受領デバイスはこのステータス指示界面を、ジョブ受領デバイスに対してジョブを送信する他のデバイスとシェアすることが可能である請求項２７乃至４３のいずれかに記載の通信プロトコル。